(57)【要約】【課題】上部バンパと下部バンパの合わせ部分の口開きを確実に防止する。【解決手段】フロントバンパを上部バンパ２と下部バンパ３とに分割構成し且つその境界線に隣接した上部バンパ２側に補助ランプ４を装着するための凹部５を形成したバンパ構造に関し、前記凹部５の底面を成すよう上部バンパ２側に設けられた棚部６の前端に適宜数の挿入口７を開口し、前記棚部６の前端側上面に前方から重ね合わせるべく下部バンパ３側に設けられた重合部８の後端に前記挿入口７に対し差し込まれて前記重合部８の左右及び後方への変位を規制する挿入爪９を突設し、該挿入爪９及び前記重合部８の何れかの上面に前記凹部５内への補助ランプ４の装着時に該補助ランプ４のハウジング１０下面の適宜な段差部により後方へ押え込まれて前記重合部８の前方への変位を規制するストッパ部１４を立設する。【選択図】　　　　図１
2004058789.tif 000002
【特許請求の範囲】
【請求項１】
フロントバンパを上部バンパと下部バンパとに分割構成し且つその境界線に隣接した上部バンパ側に補助ランプを装着するための凹部を形成したバンパ構造であって、
前記凹部の底面を成すよう上部バンパ側に設けられた棚部の前端に適宜数の挿入口を開口し、前記棚部の前端側上面に前方から重ね合わせるべく下部バンパ側に設けられた重合部の後端に前記挿入口に対し差し込まれて前記重合部の左右及び後方への変位を規制する挿入爪を突設し、該挿入爪及び前記重合部の何れかの上面に前記凹部内への補助ランプの装着時に該補助ランプのハウジング下面の適宜な段差部により後方へ押え込まれて前記重合部の前方への変位を規制するストッパ部を立設したことを特徴とするバンパ構造。
【請求項２】
ストッパ部を後方へ押え込む補助ランプ側の段差部後面にリブを形成したことを特徴とする請求項１に記載のバンパ構造。
【発明の詳細な説明】
【０００１】
【発明の属する技術分野】
本発明は、バンパ構造に関するものである。
【０００２】
【従来の技術】
図４及び図５は乗用車やＲＶ車等における従来のバンパ構造の一例を示すもので、ここに図示している例では、フロントバンパ１が上部バンパ２と下部バンパ３とにより分割構成されており、その境界線に隣接した上部バンパ２側に、フォグランプやターンシグナルランプ等の補助ランプ４（図４参照）を装着するための凹部５（図５参照）が形成されたものとなっている。
【０００３】
そして、図６に示す如く、前記凹部５の底面は、該凹部５の後面下端から前方（図６中の左方向）に延在する棚部６により形成されるようになっており、この棚部６の前端には複数の挿入口７が開口されている。
【０００４】
前記棚部６の前端側上面には、下部バンパ３側における前記凹部５に隣接する上端部から後方（図６中の右方向）に延在する重合部８が前方から重ね合わせられるようになっているが、この際に、前記重合部８の後端に後方へ向けて突設された挿入爪９を前記各挿入口７に差し込んで重合部８の左右及び後方への変位を規制し得るようにしてある。
【０００５】
即ち、上部バンパ２と下部バンパ３の相互間を何らかの係合形式で前後左右に遊び無く固定してしまうと、図示しないシャシフレームに対し比較的重い上部バンパ２と下部バンパ３とを組み付けていく際に、両者の係合箇所に無理な力がかかって破損が生じ易くなってしまうので、前述した如き挿入口７と挿入爪９とによる前方からの差し込み形式を採用しているのである。
【０００６】
また、上部バンパ２及び下部バンパ３のシャシフレームへの取り付けを完了した後に前記凹部５内に補助ランプ４を嵌め込み、該補助ランプ４のハウジング１０後面と前記凹部５の後面とを上部バンパ２の後方からスクリュー１１を捩じ込んで締結するようにしている。
【０００７】
尚、図中１２は補助ランプ４のハウジング１０の前端部に装着されたレンズ、１３は該レンズ１２の外周部を保持するためのフランジ部を夫々示している。
【０００８】
【発明が解決しようとする課題】
しかしながら、上部バンパ２側の挿入口７に対し下部バンパ３側の挿入爪９を前方から差し込むだけでは、棚部６に対する重合部８の前方への変位を規制することができないため、該重合部８が何らかの外力により前方にずれてしまったような場合に、上部バンパ２と下部バンパ３の合わせ部分の隙間が前方に大きく開いた口開きの状態となって見栄えが悪くなるという問題があった。
【０００９】
本発明は上述の実情に鑑みてなしたもので、上部バンパと下部バンパの合わせ部分の口開きを確実に防止し得るようにしたバンパ構造を提供することを目的としている。
【００１０】
【課題を解決するための手段】
本発明は、フロントバンパを上部バンパと下部バンパとに分割構成し且つその境界線に隣接した上部バンパ側に補助ランプを装着するための凹部を形成したバンパ構造であって、前記凹部の底面を成すよう上部バンパ側に設けられた棚部の前端に適宜数の挿入口を開口し、前記棚部の前端側上面に前方から重ね合わせるべく下部バンパ側に設けられた重合部の後端に前記挿入口に対し差し込まれて前記重合部の左右及び後方への変位を規制する挿入爪を突設し、該挿入爪及び前記重合部の何れかの上面に前記凹部内への補助ランプの装着時に該補助ランプのハウジング下面の適宜な段差部により後方へ押え込まれて前記重合部の前方への変位を規制するストッパ部を立設したことを特徴とするものである。
【００１１】
而して、上部バンパ側の棚部の前端側上面に下部バンパの重合部を前方から重ね合わせる際に、前記棚部の挿入口に前記重合部の挿入爪を差し込むと、重合部の左右及び後方への変位が規制されることになり、また、最終工程で凹部内へ補助ランプを装着すると、該補助ランプのハウジング下面の段差部により下部バンパ側のストッパ部が後方へ押え込まれて前記重合部の前方への変位が規制されることになる。
【００１２】
即ち、このようにすれば、上部バンパと下部バンパとの間で前後左右の変位を遊び無く規制してしまう係合形式を採用せずに、これら上部バンパ及び下部バンパの取り付け作業中に破損が生じ難い挿入口と挿入爪とによる差し込み形式を踏襲しつつ、最終工程の補助ランプの装着時に該補助ランプのハウジング下面の適宜な段差部により重合部の前方への変位を規制することが可能となり、補助ランプの装着後において重合部が前方にずれなくなる。
【００１３】
また、本発明においては、ストッパ部を後方へ押え込む補助ランプ側の段差部後面にリブを形成することが好ましく、このようにすれば、このリブによりストッパ部を一層確実に押え込むことが可能となり、また、補助ランプのハウジング側におけるストッパ部の当接箇所の強度も向上される。
【００１４】
【発明の実施の形態】
以下本発明の実施の形態を図面を参照しつつ説明する。
【００１５】
図１及び図２は本発明を実施する形態の一例を示すもので、図４〜図６と同一の符号を付した部分は同一物を表わしている。
【００１６】
図１及び図２に示す如く、本形態例においては、前述した図４〜図６のバンパ構造と略同様の挿入口７と挿入爪９とによる差し込み形式を採用したバンパ構造となっているが、その特徴とするところは、下部バンパ３側における挿入爪９基端側の重合部８上面にストッパ部１４を立設した点にある。
【００１７】
このストッパ部１４は、前記凹部５内へ補助ランプ４を前方（図１中の左方向）から装着した際に、該補助ランプ４のハウジング１０前端のフランジ部１３（段差部）により後方（図１中の右方向）へ押え込まれて前記重合部８の前方への変位を規制し得るような位置に設けられている。
【００１８】
尚、ここに図示している例では、重合部８の上面にストッパ部１４を立設した場合を例示してあるが、補助ランプ４側のハウジング１０の前後寸法によっては、下部バンパ３側の挿入爪９の上面にストッパ部１４を立設するようにしても良い。
【００１９】
また、補助ランプ４側のフランジ部１３後面における前記ストッパ部１４と当接する箇所にリブ１５が形成されており、該リブ１５によりストッパ部１４の確実な押え込みと、補助ランプ４側のフランジ部１３後面におけるストッパ部１４の当接箇所の強度向上とが同時に図られるようにしてある。
【００２０】
而して、上部バンパ２側の棚部６の前端側上面に下部バンパ３の重合部８を前方から重ね合わせる際に、前記棚部６の挿入口７に前記重合部８の挿入爪９を差し込むと、重合部８の左右及び後方への変位が規制されることになり、また、最終工程で凹部５内へ補助ランプ４を装着すると、該補助ランプ４のハウジング１０前端のフランジ部１３により下部バンパ３側のストッパ部１４が後方へ押え込まれて前記重合部８の前方への変位が規制されることになる。
【００２１】
即ち、このようにすれば、上部バンパ２と下部バンパ３との間で前後左右の変位を遊び無く規制してしまう係合形式を採用せずに、これら上部バンパ２及び下部バンパ３の取り付け作業中に破損が生じ難い挿入口７と挿入爪９とによる差し込み形式を踏襲しつつ、最終工程の補助ランプ４の装着時に該補助ランプ４のハウジング１０前端のフランジ部１３により重合部８の前方への変位を規制することが可能となり、補助ランプ４の装着後において重合部８が前方にずれなくなる。
【００２２】
従って、上記形態例によれば、最終的な補助ランプ４の装着により重合部８の前方への変位を規制することができ、これにより上部バンパ２と下部バンパ３の合わせ部分の口開きを確実に防止することができるので、フロントバンパ１の外観の見栄えを良好に保持することができ、しかも、挿入口７と挿入爪９とによる差し込み形式を踏襲することで上部バンパ２及び下部バンパ３の取り付け作業中に破損が生じ難いというメリットを残すこともできる。
【００２３】
また、特に本形態例においては、補助ランプ４におけるハウジング１０前端のフランジ部１３後面にリブ１５を形成しているので、このリブ１５によりストッパ部１４を一層確実に押え込むことができ、補助ランプ４のハウジング１０側におけるストッパ部１４の当接箇所の強度も大幅に向上することができる。
【００２４】
図３は本発明の別の形態例を示すもので、前述した図１及び図２の形態例で補助ランプ４におけるハウジング１０前端のフランジ部１３後面に形成していたリブ１５を廃止し、前記ハウジング１０前端のフランジ部１３自体で下部バンパ３側のストッパ部１４を後方へ押え込むようにしたものであるが、ストッパ部１４に対する確実な押え込みと、該ストッパ部１４の当接箇所についての十分な強度とが見込める場合には、このようなリブ１５の無い構成を採用することも可能である。
【００２５】
尚、本発明のバンパ構造は、上述の形態例にのみ限定されるものではなく、ストッパ部を後方へ押え込む補助ランプ側の段差部は、必ずしもハウジング前端のフランジ部としなくても良く、補助ランプのハウジング下面に存在する様々な段差部を適宜に利用して良いこと、その他、本発明の要旨を逸脱しない範囲内において種々変更を加え得ることは勿論である。
【００２６】
【発明の効果】
上記した本発明のバンパ構造によれば、下記の如き種々の優れた効果を奏し得る。
【００２７】
（Ｉ）本発明の請求項１に記載のバンパ構造によれば、最終的な補助ランプの装着により重合部の前方への変位を規制することができ、これにより上部バンパと下部バンパの合わせ部分の口開きを確実に防止することができるので、フロントバンパの外観の見栄えを良好に保持することができ、しかも、挿入口と挿入爪とによる差し込み形式を踏襲することで上部バンパ及び下部バンパの取り付け作業中に破損が生じ難いというメリットを残すこともできる。
【００２８】
（ＩＩ）本発明の請求項２に記載のバンパ構造によれば、リブによりストッパ部を一層確実に押え込むことができ、補助ランプのハウジング側におけるストッパ部の当接箇所の強度も大幅に向上することができる。
【図面の簡単な説明】
【図１】本発明を実施する形態の一例を示す断面図である。
【図２】図１の要部の詳細を示す斜視図である。
【図３】本発明の別の形態例を示す断面図である。
【図４】従来のバンパ構造の一例を示す全体斜視図である。
【図５】図４のフロントバンパの分解図である。
【図６】図５の挿入口に対する挿入爪の差し込み状態を示す断面図である。
【符号の説明】
１　　フロントバンパ
２　　上部バンパ
３　　下部バンパ
４　　補助ランプ
５　　凹部
６　　棚部
７　　挿入口
８　　重合部
９　　挿入爪
１０　　ハウジング
１３　　フランジ部（段差部）
１４　　ストッパ部
１５　　リブ
【図１】
2004058789.tif 000003
【図２】
2004058789.tif 000004
【図３】
2004058789.tif 000005
【図４】
2004058789.tif 000006
【図５】
2004058789.tif 000007
【図６】
2004058789.tif 000008